(57)【要約】【課題】  従来の室内機のグリル開閉機構は、必ずしもスムーズなグリルの開閉がなされないこと、または、グリルの開閉が確認しにくい等グリル開閉操作において操作者に快適な操作感を与えないという課題を有している。【解決手段】  本発明の室内機のグリル開閉機構によるグリル２の開閉は、操作部２７の第１の保持用凸部２７ｃとキャッチ部３１の第２の保持用凸部３１ａとのヒンジ部２７ｂの弾性利用の両凸部の係合及び係合解除により行われ、スムーズな開閉が可能であり、また、第１の保持用凸部２７ｃが第２の保持用凸部３１ａを乗り越える際にクリック感を得ることができ、開閉の確認ができ、操作者は快適な操作感を得ることができる。【選択図】図１２
2006097979.tif 000002
【特許請求の範囲】
【請求項１】
軸部を軸受部に装着することにより、グリルの上部を室内機本体側上部と回転及び着脱可能に結合し、また、グリルの下部の操作部を室内機本体側の下部のキャッチ部に着脱可能に結合させ、前記グリルを開閉及び着脱するグリル開閉機構を有し、
前記操作部と前記キャッチ部との結合は、可動凸部である第１の保持用凸部と前記第１の保持用凸部の移動方向には移動しない凸部である第２の保持用凸部との係合と、該係合を付勢する弾性ヒンジ部を有する付勢手段とから形成されることを特徴とする空気調和機の室内機。
【請求項２】
前記操作部は、室内機本体側へ延設する前記グリル側面の下端部の縁部を挟んで設置されたツマミ部を有し、該ツマミ部を手前側に引くことにより、係止状態にある第１の保持用凸部と第２の保持用凸部との係合を解除するように前記付勢手段が働くことを特徴とする請求項１に記載の空気調和機の室内機。
【請求項３】
前記操作部は、前記ツマミ部、前記第１の保持用凸部、前記ヒンジ部及びこれらを接続する部材等を備えて一体に形成され、前記グリル内面に固定されることを特徴とする請求項１または請求項２に記載の空気調和機の室内機。
【請求項４】
前記室内機本体の前面パネルの左右両端側に可動サポートを設け、
前記軸部と前記操作部とを前記グリルに設置し、また、前記軸受部及び前記キャッチ部を、前記グリルが閉じたとき、前記軸部及び前記操作部にそれぞれ対応するように、前記可動サポートに設置し、
前記可動サポートは、その前面が前記前面パネルと同一面となるように設置したことを特徴とする請求項１〜請求項３のいずれかの請求項に記載の空気調和機の室内機。
【請求項５】
前記可動サポートは、その前面が前記前面パネルと同一面となる同一面配置位置と該同一面配置位置より前方の前方配置位置とに移動可能に前記室内機本体側に結合されていることを特徴とする請求項４に記載の空気調和機の室内機。
【請求項６】
グリル内面の上部両端に設けた軸部と、グリル外面及び内面の下部両端に設けた操作部と、前面パネルの左右両端にそれぞれ配置され、該前面パネルと同一面となる同一面配置位置と該同一面配置位置より前方の前方配置位置とに移動可能に前記室内機本体側に結合される可動サポートと、前記可動サポートが前記同一面配置位置にあるとき、前記グリル内面の前記軸部及び前記操作部にそれぞれ対応するように、前記可動サポート上に設けた軸受部及びキャッチ部とを有し、
前記軸部を前記軸受部に回転及び着脱可能に装着し、
また、前記操作部を前記キャッチ部に着脱可能に結合させ、
前記グリルを閉じるとき、前記可動サポートが前記同一面配置位置において、前記操作部を前記キャッチ部に結合させ、また前記グリルを開くとき、前記可動サポートが前記同一面配置位置において、前記キャッチ部から前記操作部を外すことを特徴とする空気調和機の室内機。
【発明の詳細な説明】
【技術分野】
【０００１】
本発明は、空気調和機の室内機に関し、特に、室内機のグリル開閉機構に関するものである。
【背景技術】
【０００２】
従来の空気調和機の室内機のグリル開閉機構としては、エアコン本体側に結合された第１ステーと、フロントグリル側に結合された第２ステーと、両ステーに各端をそれぞれ枢着された回動レバーとからなるエアコン用フロントグリル開閉装置であって、第２ステーにガイド溝を設け、フロントグリルにそのガイド溝に係合するスライダを設けたものがある（例えば、特許文献１参照）。
【０００３】
また、筐体の前面カバーの上面前縁の前側に軸受が形成され、前面上部両側には常時開放方向に付勢されたアームが出没自在に支持され、前面下部の両側にはキャッチャーを配し、グリルの上端には軸が形成、下端両側にはキャッチャーに着脱自在に保持される突起が形成され、グリルは前面カバーに取付けられる。突起をキャッチャーより離脱させ、上方に上げ軸を軸受より離脱させ、筐体の前面カバーの前面に着脱、開閉自在に吸込みグリルを取付けるものがある。（例えば、特許文献２参照）。
【特許文献１】特開平７−２４８１２６号公報（第２頁、第３頁、図１）
【特許文献２】特開平７−５５１８４号公報（第３頁、第４頁、図１、図３、図４）
【発明の開示】
【発明が解決しようとする課題】
【０００４】
しかしながら、上記の特許文献１、２のグリル開閉機構は、必ずしもスムーズなグリルの開閉がなされないこと、または、グリルの開閉が確認しにくい等グリル開閉操作において操作者に快適な操作感を与えないという課題を有している。
【０００５】
本発明は、上記のような課題を解消するためになされたもので、スムーズなグリルの開閉が可能であり、また、操作者がグリルの開閉を確認でき、操作者に快適な操作感を与えるグリル開閉機構を有する空気調和機の室内機を得ることを目的とする。
また、運転時にグリルを可動するグリル可動機構の部材をグリル開閉機構に有効活用できる空気調和機の室内機を得ることを目的とする。
また、小型化を図った空気調和機の室内機を得ることを目的とする。
【課題を解決するための手段】
【０００６】
本発明の空気調和機の室内機は、軸部を軸受部に装着することにより、グリルの上部を室内機本体側上部と回転及び着脱可能に結合し、また、グリルの下部の操作部を室内機本体側の下部のキャッチ部に着脱可能に結合させ、グリルを開閉及び着脱し、また、操作部とキャッチ部との結合は、第１の保持用凸部と第２の保持用凸部との係合と、該係合を付勢する弾性ヒンジ部を有する付勢手段とから形成されるグリル開閉機構を有するものである。
【発明の効果】
【０００７】
本発明の空気調和機の室内機においては、グリル開閉機構によるグリルの開閉は、付勢手段のヒンジ部の弾性利用の第１の保持用凸部と第２の保持用凸部との係合及び係合解除により行われ、スムーズな開閉が可能であり、また、第１の保持用凸部が第２の保持用凸部を乗り越える際にクリック感を得ることができ、開閉の確認ができ、操作者は快適な操作感を得ることができる。
【発明を実施するための最良の形態】
【０００８】
実施の形態１．
図１は、本発明の実施の形態1の空気調和機の室内機本体（壁等に設置する。グリル２閉じ、可動していない状態）の外観を示す斜視図であり、図２は、図１の室内機本体１の内部構成を示す断面図である。
これらの図において、室内機本体１は、外観形状が横長のほぼ直方体の筐体であり、この筐体の上面及び前面に吸込口１０を設け、また、前面下部に吹出口１１を設けている。前面の吸込口１０は、筐体の前面を構成する前面パネル１４（後述の図３に示す）の開口部として形成し、この前面パネル１４及び前面の吸込口１０の前方には、前面２ａ、側面２ｂ及び底面２ｃを有する略皿状のグリル２が、凹部側を内側にして筐体の前面を覆うように設けられている。このグリル２の前面２ａは、意匠上の観点から全面開口のない板状体である。
筐体の内部には、吸込口１０から室内空気を吸込み、吹出口１１から吹出すファン６を設ける。そして、吸込口１０の内側に、このファン６を囲むように三つ折りの熱交換器５を設ける。熱交換器５の前面側にはフィルター２２を設置する。
このようにして、吸込口１０から吸込んだ室内空気を熱交換器５で加温または冷却し、温度調節後の空気を吹出口１１から吹出す風路を形成する。また、吹出口１１には、上下方向の風量を調節する上下風向調整フラップ８を設ける。
【０００９】
次に、グリル２を開閉するグリル開閉機構について説明する。
図３は、グリル開閉機構によりグリルを開いた状態の室内機本体を示す斜視図であり、図４、５は、軸受部を示す要部拡大図であり、図６は、内面に軸部及び操作部を設けたグリルを示す斜視図であり、図７は、グリル内面の軸部を示す要部拡大図であり、図８、９は、キャッチ部を示す要部拡大図であり、図１０、１１は、操作部を示す要部拡大図である。
図３に示すように、グリル２は、後に詳述するが、上部に設けた軸部２５を室内機本体１側に設けた軸受部２９に装着することにより軸部２５が回転可能に支持され、下部に設けた操作部２７のツマミ部２７ａを手前に引くことにより、操作部２７が室内機本体１側に設けたキャッチ部３１から外れ、下部が前面手前側に回動し開く。また、上部の軸部２５と軸受部２９との関係は、着脱可能であり、グリル２は、操作部２７をキャッチ部３１から外した状態で室内機本体１に対して着脱可能となる。
上記のグリル開閉機構は、図４〜図１１に示すように、グリル２の内面の上部両端部に軸部２５を設け、下部両端部に操作部２１を設け、また、前面パネル１４の左右の両端にそれぞれ配置した前面側のパネルである可動サポート１５の上部に軸受部２９を設け、下部にキャッチ部３１を設ける。そして、両軸部２５をそれぞれ軸受部２９、２９に装着し、グリル２が閉じることにより、操作部２７をそれぞれキャッチ部３１、３１に結合させるものである。
【００１０】
ここで、可動サポート１５は、後述の図１６、図１７等に示すように、前面の吸込口の開口を有する前面パネル１４の両端に配置され、概略の形状が前面と、筐体の側面側に折れ曲がった側面とからなる上下方向に長形のもので、筐体の左右の前面の端部と側面の前面側端部とを形成する。そして、可動サポート１５は、上部アーム１６及び下部アーム１７によりその前面が前面パネル１４と同一面をなす同一面配置位置とこの同一面配置位置より所定量だけ前方の前方配置位置となるように移動可能とされる（このアーム機構については、後述する）。
【００１１】
可動サポート１５の上部に設置する軸受部２９は、図４、図５に示すように、上部が開いたＪ字状のＪ字状軸受２９ａと保持用凸部ｂとから構成される。
また、図６に示すグリル２の内面に設置する軸部２５は、図７に示すように、軸受部２９のＪ字状軸受２９ａに装着するＤカット２５ｂを有するＤカット軸２５ａと、保持用凸部２５ｃとから構成される。
【００１２】
キャッチ部３１は、図８、図９に示すように、後述の可動凸部である第１の保持用凸部の移動方向には移動しない第２の保持用凸部３１ａと対向固定部３１ｂを有し、可動サポート１５の下部に設置する。これらは両者共に固定部材であり、第２の保持用凸部３１ａを対向固定部３１ｂよりグリルの前面２ａ側に設置する。
また、図６に示すグリル２の外面及び内面に設置する操作部２７は、図１０、図１１に示すように、ツマミ部２７ａを、グリル２の側面２ｂの下端部に、その縁部の両面を挟んで設ける。また、ツマミ部２７ａの内面部分から連続して、グリル２の前面２ａ側に向いかつグリル側面２ｂから離れるように延設部材２７ｆを延設し、延設部材２７ｆの先端部に作用部２７ｅを形成する。
また、作用部２７ｅよりグリル２の前面２ａ側に、グリル側面２ｂの内面側から突出する方向の凸部を有する第１の保持用凸部２７ｃを配置する。第１の保持用凸部２７ｃは、グリル２と共に移動する可動凸部である。
そして、ヒンジ部２７ｂの一端を延設部材２７ｆの途中に接続し、ここからヒンジ部２７ｆをグリル前面側に延設し、他端部を第１の保持用部材２７ｃに接続する部材に接続する。
さらに、第１の保持用凸部２７ｃよりグリル２の前面２ａ側に先端に固定用ツメ２７ｄを有する部材を設ける。
ここで、ヒンジ部２７ｂは、ポリプロピレン樹脂等の薄肉で形成され、弾性を持たせたミラーヒンジである。
【００１３】
これらツマミ部２７ａ、延設部２７ｆ、ヒンジ部２７ｂ、作用部２７ｅ、第１の保持用凸部２７ｃ、固定用ツメ２７ｄを有する部材等で形成する操作部２７は、図１１に示すように一体部材とし、ツマミ部２７ａをグリル側面２ｂの縁部に挟んで取付け、また、固定用ツメ２７ｄを有する部材を、グリル底面２ｃに設けたグリル操作固定部３３の開口に挿入固定する。このようにして操作部２７をグリル底面２ｃに固定する。
【００１４】
次に、本グリル開閉機構の動作を説明する。
グリル２を開くには、操作部２７とキャッチ部３１との結合を解除し、操作部２７をキャッチ部３１から外す。
図１２に操作部２７をキャッチ部３１に結合した状態を示す。これは、グリル２を閉じた状態である。グリル２を閉じることにより、第１の保持用凸部２７ｃと第２の保持用凸部３１ａとが、両凸部同士を向き合わせ係合することにより第１の保持用凸部２７ｃが第２の保持用凸部３１ａに係止され、グリル２が開くのを防止する。
図１３の操作部２７とキャッチ部３１との結合を解除することを説明する図により、閉じた状態からグリル２を開く原理を説明する。
【００１５】
第１の保持用凸部２７ｃと第２の保持用凸部３１ａとの係合を解除する手順を図１３の（１）〜（５）に示す。
まず、ツマミ部２７ａを手前に引く（１）。
ヒンジ部２７ｂを支点として延設部材２７ｆの先端の作用部２７ｅが後方に移動し、対向固定部３１ｂを押圧する（２）。
対向固定部３１ｂからの反作用を受け、第１の保持用凸部２７ｃがグリル２と共に前方に移動する（３）。
第１の保持用凸部２７ｃの押圧により、第２の保持用凸部３１ａが内側（図１２、図１３で左側）に逃げる（４）。
第１の保持用凸部２７ｃが第２の保持用凸部３１ａを乗り越えて結合が解除される。
即ち、ツマミ部２７ａを手前に引くことにより、延設部材２７ｆに接続するヒンジ部２７ｂの先端を支点として、テコの原理で延設部材２７ｆの先端の作用部２７ｅがキャッチ部３１の対向固定部３１ｂを押圧し、この反作用によりヒンジ部２７ｂが弾性変形して、第１の保持用凸部２７ｃを前面側に押し、係合している第２の保持用凸部３１ａを乗り越え、グリル２を外す。
ここで、「手前」は、室内機の筐体の前方、「前方」及び「後方」は、それぞれ閉じたグリル２の前面２ａ方向及び反対方向である。
なお、操作部２７のツマミ部２７ａ、延設部２７ｆ、ヒンジ部２７ｂ、作用部２７ｅ、第１の保持用凸部２７ｃ、これらを接続する部材及びキャッチ部３１の対向固定部３１ｂ等が付勢手段を構成する。
【００１６】
このように操作部２７は、操作方向をグリル２の開方向と同じ方向とし、操作部２７のツマミ部２７ａをグリル２開方向、即ち、手前に引くとヒンジ部２７ｂを支点としてテコの原理で第１の保持用凸部２７ｃが第２の保持用凸部３１ａを乗り越えてグリル２を押出し外すことが可能となる。この係合凸部を乗り越えるとき、クリック感を得ることはでき、快適な操作感を得る。
【００１７】
操作部２７のツマミ部２７ａを手前に引き、操作部２７とキャッチ部３１との結合を解除すれば、そのままグリル２は開くことができる。グリル２を軸部２５の軸を回転させ開いていくと、グリル２の軸部２５の所定の角度を有する保持用凸部２５ｃが、可動サポート１５の軸受部２９に設けた所定の角度を有する保持用凸部２９ｂと係合し、フィルター交換などの清掃が容易な角度にてグリル２を保持することが可能となる。
さらに、グリル２を回転させ開いていきグリル２に設けた軸部２５のＤカット２５ｂと軸受部２９のＪ字状軸受２９ａが合った所にて脱着可能となり、グリル２を外すことができる。
なお、グリル２を閉じるときは、グリル２の下端部を、開くときとは反対に回動させ押すことにより、第１の保持用凸部２７ｃと第２の保持用凸部３１ａとが係合し、即ち、第１の保持用凸部２７ｃ及び作用部２７ｅが第２の保持用凸部３１ａ及び対向固定部３１ｂ間に係合され、第１の保持用凸部２７ｃは弾性的に係止される。
【００１８】
上記においては、軸受部２９及びキャッチ部３１を、前面パネル１４の左右両端側に設けた可動サポート１５に設けたが、特に可動サポート１５は設けずに、代りに開口部を有する前面パネル１４を使用し、グリル２に設けた軸部２５及び操作部２７に対応して、軸受部２９及びキャッチ部３１を前面パネル１４に設けるようにしてもよく、ほぼ同様なグリル開閉機構が得られる。
【００１９】
次に、グリル可動機構を図１４〜図２０により説明する。
図１４は、グリル可動時の室内機本体の外観を示す斜視図であり、図１５は、図１４の室内機本体の内部構成を示す断面図であり、図１６は、図１４の室内機本体のグリルを外した室内機本体を示す斜視図であり、図１７は、グリルを可動しない時のグリルを外した室内機本体を示す斜視図であり、図１８は、モータ駆動をシャフトに伝える部分を示す要部拡大図であり、図１９及び図２０は、それぞれグリルを可動しない時及びグリル可動時のグリル可動機構部を示す要部拡大図である。
室内機は、運転時には吸込口１０から充分の室内空気を吸込むために、グリル可動機構によりグリル２を前面パネル１４の前方で、斜め上方に可動して前面の吸込口１０の四方から室内空気を吸込むようにする。図１４のグリル２可動時に対応する室内機本体１の内部を示す図１５に、吸込気流１０ａを示す。図１５は図２のグリル２を可動しない時と比較して、吸込み気流が増加することを示している。
【００２０】
グリル可動機構は、室内機本体１に取付けられたステップモータからなる駆動モータ１８の駆動力をギヤ１９を介してシャフト２０に回転力を伝える。シャフト２０の左右両端にはそれぞれ上部アーム１６の一端が取り付けられ、上部アーム１６の取付け部はシャフト２０と共に回転する。そして、上部アーム１６の他端は、可動サポート１５に結合部が回転可能に結合する。
また、下部アーム１７の一端を室内機本体１で、上部アーム１６の一端より下方に結合部を回転可能に結合し、他端を可動サポート１５の上部アーム１６の結合部より下部に結合部が回転可能に結合する。
そこで、可動サポート１５は、上部アーム１６と下部アーム１７にて室内機本体１に取付けられている。そして、シャフト２０の回転と共に上部アーム１６及びこれに従動する下部アーム１７により可動サポート１５が可動し、また、逆回転により可動サポート１５が室内機本体１上に戻る。この可動状態を図１６及び図２０に、また可動しない状態を図１７及び図１９に示す。
また、室内機運転中のグリル可動機構が可動中は、普通はグリル２を開くことがないので、即ち、グリル２の操作部２７は可動サポート１５のキャッチ部３１に結合しているので、グリル２は、可動サポート１５に保持され、可動サポート１５の動きに同調する。そこで、シャフト２０の回転と共に上部アーム１６及びこれに従動する下部アーム１７が可動サポート１５を動かし、グリル２が可動する。
グリル可動機構の駆動モータ１８の運転制御は、制御部（図示省略）で行う。
グリル２が可動状態にて、室内機本体１に組込まれたファン６により吸込気流１０ａがグリル２の周り全周より室内機本体１に組込まれた熱交換器５に導入できる。
【００２１】
本空気調和機の室内機は、室内機の運転停止時には、グリル開閉機構により、グリル２を開き、また、グリル２を室内機本体１から取外し、フィルターの清掃等のメンテナンスが可能である。そして、室内機運転中は、グリル可動機構により、グリル２を室内機本体１の前方に可動して前面の吸込口１０の全周から充分の室内空気を吸込むことができる。
【００２２】
また、グリル開閉機構によるグリル２の開閉は、付勢手段のヒンジ部２７ｂの弾性利用により、第１の保持用凸部２７ｃと第２の保持用凸部３１ａとの係合及び係合解除により行われ、スムーズな開閉が可能であり、また、第１の保持用凸部２７ｃが第２の保持用凸部３１ａを乗り越える際にクリック感を得ることができ、開閉の確認ができ、操作者は快適な操作感を得ることができる。
また、グリル２を開く時には、操作部２７のツマミ部２７ａをグリル２の開く方向と同じく手前に引くことにより、第１の保持用凸部２７ｃと第２の保持用凸部３１ａとの係合が解除でき操作がやり易く、操作者は快適な操作感を得ることができる。
【００２３】
また、グリル開閉機構を構成する操作部２７は、一体物として形成され、グリル２内面に固定されるので、グリル２等とは材質的に別物とすることができ、例えば、ポリプロピレン樹脂等の弾性材料を広範囲に選定することにより、ヒンジ用薄肉部の形成を容易とする。
【００２４】
また、軸部２５と軸受部２９とを設置する可動サポート１５を、前面パネル１４の左右両端側に設け、その前面を前面パネル１４と同一面配置位置とするので、軸部２５と軸受部２９とを設置する部材を前面パネル上に設ける場合等と比べて、室内機本体の厚さ方向が小さくでき、室内機本体の小型化を図ることができる。
【００２５】
また、可動サポート１５のを、その前面が前面パネル１４と同一面配置位置と同一面配置位置より前方配置位置とに移動可能に室内機本体１側に結合するので、室内機停止時のフィルター等の清掃時には、可動サポート１５を同一面配置位置とし、グリル開閉機構によりグリル２を開くことができ、また、室内機運転中は、操作部２７とキャッチ部３１との結合により、グリル２と可動サポート１５とを結合し、グリル２を併せて可動サポート１５を前方配置位置に移動し、前面の吸込口１０に空気を吸込むことができる。そこで、可動サポート１５は、グリルを可動するグリル可動機構の部材としても活用でき、グリル開閉機構及びグリル可動機構の共通部材として有効活用できる。
【図面の簡単な説明】
【００２６】
【図１】本発明の実施の形態1の空気調和機の室内機本体の外観を示す斜視図である。
【図２】図１の室内機本体の内部構成を示す断面図である。
【図３】本発明の実施の形態１の空気調和機の室内機本体のグリルを開いた室内機本体を示す斜視図である。
【図４】本発明の実施の形態１の空気調和機の室内機本体の軸受部を示す要部拡大図である。
【図５】図４と同じ軸受部を示す要部拡大図である。
【図６】本発明の実施の形態１の空気調和機の室内機本体のグリル内面を示す斜視図である。
【図７】本発明の実施の形態１の空気調和機の室内機本体の軸部を示す要部拡大図である。
【図８】本発明の実施の形態1の空気調和機の室内機本体のキャッチ部を示す要部拡大図である。
【図９】図８と同じキャッチ部を示す要部拡大図である。
【図１０】本発明の実施の形態1の空気調和機の室内機本体の操作部を示す要部拡大図である。
【図１１】図１０と同じく操作部を示す要部拡大図である。
【図１２】本発明の実施の形態１の空気調和機の室内機本体の操作部をキャッチ部に結合した状態を示す部分拡大図である。
【図１３】図１２の操作部とキャッチ部との結合を解除することを説明する図である。
【図１４】本発明の実施の形態１の空気調和機の室内機本体のグリル可動時の室内機本体を示す斜視図である。
【図１５】図１４の室内機本体の内部構成を示す断面図である。
【図１６】図１４のグリルを外した室内機本体を示す斜視図である。
【図１７】本発明の実施の形態１の空気調和機の室内機本体のグリルを可動しないときのグリルを外した室内機本体を示す斜視図である。
【図１８】本発明の実施の形態１の空気調和機の室内機本体のモータ駆動をシャフトに伝える部分を示す要部拡大図である。
【図１９】本発明の実施の形態１の空気調和機の室内機本体のグリル可動しないときのグリル可動機構部示す要部拡大図である。
【図２０】本発明の実施の形態１の空気調和機の室内機本体のグリル可動時のグリル可動機構部示す要部拡大図である。
【符号の説明】
【００２７】
１  室内機本体、２  グリル、１４  前面パネル、１５  可動サポート、２５  軸部、２７  操作部、２７ａ  ツマミ部、２７ｂ  弾性ヒンジ部、２７ｃ  第１の保持用凸部、２９  軸受部、３１  キャッチ部、３１ａ  第２の保持用凸部。
【図１】
2006097979.tif 000003
【図２】
2006097979.tif 000004
【図３】
2006097979.tif 000005
【図４】
2006097979.tif 000006
【図５】
2006097979.tif 000007
【図６】
2006097979.tif 000008
【図７】
2006097979.tif 000009
【図８】
2006097979.tif 000010
【図９】
2006097979.tif 000011
【図１０】
2006097979.tif 000012
【図１１】
2006097979.tif 000013
【図１２】
2006097979.tif 000014
【図１３】
2006097979.tif 000015
【図１４】
2006097979.tif 000016
【図１５】
2006097979.tif 000017
【図１６】
2006097979.tif 000018
【図１７】
2006097979.tif 000019
【図１８】
2006097979.tif 000020
【図１９】
2006097979.tif 000021
【図２０】
2006097979.tif 000022